(57)【要約】ドアロック（１００）は、開口溝（２０２）を有するカム（２０１）であって、カム（２０１）の開口溝（２０２）に、ドアに取り付けられたフック（１０１）が挿入されると、カム（２０１）の中にフック（１０１）が固定される、カム（２０１）と、ドアの外部からの押す力、ドアの外部からの引く力、ドアの内部からの押す力または制御信号による起動によって、カム（２０１）をロック位置からロック解除位置へ移動させる駆動装置とを備える。このドアロックは、電気器具のドアを開ける種々の便利な方式を使用者に提供することができるとともに、子供を守る安全機構を備えている。
2019528093.tif 000002
【特許請求の範囲】
【請求項１】
ドアロック（１００）において、
開口溝（２０２）を有するカム（２０１）であって、ドアに取り付けられたフック（１０１）が、該カム（２０１）の開口溝（２０２）に対して挿入されると、該カム（２０１）にフック（１０１）が固定されるようにしたカム（２０１）と、
前記ドアの外部からの押す力、該ドアの外部からの引く力、該ドアの内部からの押す力または制御信号による起動によって、前記カム（２０１）をロック位置からロック解除位置へ移動させる駆動装置とを具備することを特徴としたドアロック。
【請求項２】
ドアロック（１００）において、
開口溝（２０２）を有するカム（２０１）であって、ドアに取り付けられたフック（１０１）が、該カム（２０１）の開口溝（２０２）に対して挿入されると、該カム（２０１）にフック（１０１）が固定されるようにしたカム（２０１）と、
前記ドアの外部からの押す力、該ドアの外部からの引く力または該ドアの内部からの押す力によって、前記カム（２０１）をロック位置からロック解除位置へ移動させる駆動装置とを具備することを特徴としたドアロック。
【請求項３】
前記駆動装置は、
前記カム（２０１）に当接し、該カム（２０１）の回動に伴って往復運動するスライダー（２０４）であって、該スライダー（２０４）が前記フック（１０１）を押さえ付ける側にある場合には、該フック（１０１）をロック位置に固定し、ロックが解除されると、該スライダー（２０４）が該フック（１０１）から離れる側に運動可能になることによって、前記カム（２０１）が前記フック（１０１）を解き放すようにしたスライダー（２０４）と、
前記スライダー（２０４）に取り付けられ、前記カム（２０１）をロック位置またはロック解除位置に保持可能な機構を有する揺動ブロック（４０１）とを具備し、
前記揺動ブロック（４０１）は、回転動作可能な状態または回転不可能な状態になることができることを特徴とした請求項２に記載のドアロック。
【請求項４】
前記揺動ブロック（４０１）は、該揺動ブロック（４０１）を回転不可能なようにロックするか、または、該揺動ブロック（４０１）を回転可能なように解放する揺動ブロックロック機構（４０２、４０３、４０５、４０７）を具備することを特徴とした請求項３に記載のドアロック。
【請求項５】
前記揺動ブロック（４０１）は、ロック位置に対応する第１の位置（Ｂ点）と、前記ロック解除位置に対応する第２の位置（Ａ点）とを有するハート形溝（４１１）を更に具備することを特徴とした請求項４に記載のドアロック。
【請求項６】
前記揺動ブロックロック機構（４０２、４０３、４０５、４０７）は、
ローラー（４０２）と、
ばねガイド（４０３）と、
前記ばねガイド（４０３）に外嵌され、前記ローラー（４０２）に弾性力を付与するばね（４０７）とを具備し、
前記揺動ブロック（４０１）は、ばね孔（４０５）を有し、
前記ばね（４０７）、前記ばねガイド（４０３）および前記ローラー（４０２）は、前記ばね孔（４０５）に取り付けられていることを特徴とした請求項４に記載のドアロック。
【請求項７】
前記スライダー（２０４）には、段状突起（４１０）が設けられた収容室（４３１）が設けられ、
前記段状突起（４１０）は、ローラー（４０２）が前記揺動ブロック（４０１）から突出して該段状突起（４１０）に接触すると、該ローラー（４０２）と係合して、該揺動ブロック（４０１）の回転運動を阻止することを特徴とした請求項４に記載のドアロック。
【請求項８】
前記駆動装置は、ピン（３０３）が設けられた摺動機構（３０２）を更に具備し、
ハート形溝（４１１）は摺動機構（３０２）の上方に位置し、
ピン（３０３）は、前記ハート形溝（４１１）に挿入され、該ハート形溝（４１１）のロック位置（Ｂ点）とロック解除位置（Ａ点）との間で運動することを特徴とした請求項６に記載のドアロック。
【請求項９】
前記駆動装置は、前記摺動機構（３０２）が取り付けられたベース（１１４）を更に具備し、
前記揺動ブロック（４０１）は、突出部（４２０）を有し、前記ベース（１１４）は、突起（３０５）を有し、
前記揺動ブロック（４０１）の突出部（４２０）と、前記ベース（１１４）の突起（３０５）とが互いに嵌合して、該揺動ブロック（４０１）を振れ位置に復帰させることを特徴とした請求項８に記載のドアロック。
【請求項１０】
前記カム（２０１）には、該カム（２０１）がロック解除位置にあるとき、前記フック（１０１）を押し出す捻りばね（２１０）が設けられていることを特徴とした請求項９に記載のドアロック。
【請求項１１】
前記駆動装置は、信号の起動によって該駆動装置が前記カム（２０１）をロック位置からロック解除位置へ移動するようになっている自動ロック解除装置（１０３、４３１）を更に具備することを特徴とした請求項２に記載のドアロック。
【請求項１２】
前記自動ロック解除装置（１０３、４３１）は、
揺動ブロック（４０１）のローラー（４０２）を揺動ブロック（４０１）の内部に押し込む操作レバー（４３１）と、
前記操作レバー（４３１）を駆動するアクチュエーター（１０３）とを具備することを特徴とした請求項１１に記載のドアロック。
【請求項１３】
該ドアロックは、前記スライダー（２０４）に取り付けられ、該スライダー（２０４）をリセットするリターンスプリング（２１３）を更に具備し、
前記カム（２０１）の捻りばね（２１０）の弾性力は、前記スライダー（２０４）の前記リターンスプリング（２１３）の弾性力よりも大きいことを特徴とした請求項９に記載のドアロック。
【請求項１４】
該ドアロックは緩衝機構（１２０１、１２０２、１２０３）を具備し、該緩衝機構（１２０１、１２０２、１２０３）は、該ドアロックがロック状態にある場合に、加えられた外力を緩和することを特徴とした請求項９に記載のドアロック。
【請求項１５】
前記緩衝機構（１２０１、１２０２、１２０３）は、レバー片（１２０１）と、レバー軸（１２０３）と、レバーばね（１２０３．１、１２０３．２）とを具備し、
前記レバー片（１２０１）には、上部（１２１３）と、中部（１２１４）と、下部（１２１５）とが含まれ、
レバー片（１２０１）の中部（１２１４）の背面は、前記レバー軸（１２０２）を収容する凹溝（１２０４）になるように湾曲し、
前記摺動機構（３０２）は、円盤（３２１）を有する摺動盤（３０２）を具備し、
前記上部（１２１３）は、前記摺動盤（３０２）の前記円盤（３２１）の縁部に近接していることを特徴とした請求項１４に記載のドアロック。
【発明の詳細な説明】
【技術分野】
【０００１】
本発明は、電気器具装置（洗濯機および食器洗い機等）のドアロックに関し、特に、電気器具装置（洗濯機および食器洗い機等）のドアを複数の方式によって開けるドアロックに関する。
【背景技術】
【０００２】
ドアロック機構は、電気器具装置（洗濯機、食器洗い機等）のドアのロックまたは開放の制御に用いることができる。
【０００３】
電気器具装置を正常に使用するには、装置のドアロック機構に対して多方面のニーズがある。例えば、電気器具のドアを開ける種々の便利な方式を使用者に提供する必要があり、また、電気器具装置が種々の状態で確実に運転するように確保する必要もある。その上、一部の商用または家庭用電気器具装置のドアロック機構では、子供を守る安全機構を備える必要がある。例えば、ドアが側面に設けられたドラム式洗濯機のドアロック機構は、例えばドラム式洗濯機のドラムに子供が誤って入った場合、子供が洗濯機のドラムから出て来られるように、閉じられたドアを相対的に小さい力で内側から押し開けることができるようになっている必要がある。
【０００４】
本発明は、上記のニーズを満たすドアロック機構を提供することを目的とする。
【発明の概要】
【発明が解決しようとする課題】
【０００５】
ドアロック機構に対する種々のニーズを満たすために、本発明は、使用者がドアの外（外側）からのプッシュ−プッシュまたはプッシュ−プルの方式によって施錠およびドア開放を行うことができ、施錠後に、ドアの中（内側）からの押す方式または自動方式によってドアを開けることもでき、自動でドアを開けることもできるドアロック構造を提供する。本発明のドアロック構造の実施の形態は、次の通りである。
【課題を解決するための手段】
【０００６】
本発明の第１の態様は、カムと、駆動装置とを具備し、
前記カムは、開口溝を有しており、該カムの開口溝に対してドアに取り付けられたフックが挿入されると、該カムの中にフックが固定され、
前記駆動装置は、前記ドアの外部からの押す力、該ドアの外部からの引く力、該ドアの内部からの押す力、または制御信号による起動によって、前記カムをロック位置からロック解除位置へ移動させる、ドアロックを含む。
【０００７】
本発明の第２の態様は、カムと、駆動装置とを具備し、
前記カムは、開口溝を有しており、該カムの開口溝に対してドアに取り付けられたフックが挿入されると、該カムの中にフックが固定され、
前記駆動装置は、前記ドアの外部からの押す力、該ドアの外部からの引く力、または該ドアの内部からの押す力によって、前記カムをロック位置からロック解除位置へ移動させる、ドアロックを含む。
【０００８】
第２の態様に記載のドアロックによると、前記駆動装置は、スライダーと、揺動ブロックとを具備し、
前記スライダーは、前記カムに当接し、該カムの回動に伴って往復運動するものであり、該スライダーが前記フックを押さえ付ける側にある場合には、該フックをロック位置に固定し、ロックが解除されると、該スライダーが該フックから離れる側に運動可能になることによって、カムがフックを解き放し、
前記揺動ブロックは、前記スライダーに取り付けられているとともに、前記カムをロック位置またはロック解除位置に保持可能な機構を有し、
前記揺動ブロックは、回転動作可能な状態または回転不可能な状態になることができる。
【０００９】
第２の態様に記載のドアロックによると、前記揺動ブロックは、揺動ブロックロック機構を備え、
前記揺動ブロックロック機構は、該揺動ブロックを回転不可能なようにロックするか、または、該揺動ブロックを回転可能なように解放するためのものである。
【００１０】
第２の態様に記載のドアロックによると、前記揺動ブロックは、ハート形溝を更に備え、
前記ハート形溝は、ロック位置に対応する第１の位置（Ｂ点）と、前記ロック解除位置に対応する第２の位置（Ａ点）とを有している。
【００１１】
第２の態様に記載のドアロックによると、前記揺動ブロックロック機構は、ローラーと、ばねガイドと、ばねとを具備し、
前記ばねは、前記ばねガイドに外嵌されており、前記ローラーに弾性力を付与し、
前記揺動ブロックは、ばね孔を有し、
前記ばねと、前記ばねガイドと、前記ローラーとは、前記ばね孔に取り付けられている。
【００１２】
第２の態様に記載のドアロックによると、スライダーには、段状突起が設けられた収容室が設けられ、
前記段状突起は、ローラーが前記揺動ブロックから突出して該段状突起に接触すると、該ローラー（４０２）と係合して、該揺動ブロックの回転運動を阻止するためのものである。
【００１３】
第２の態様に記載のドアロックによると、前記駆動装置は、摺動機構を更に備え、
前記摺動機構には、ピンが設けられ、
前記ハート形溝は、摺動機構の上部に位置し、
前記ピンは、前記ハート形溝に挿入されているとともに、該ハート形溝のロック位置（Ｂ点）とロック解除位置（Ａ点）との間で運動する。
【００１４】
第２の態様に記載のドアロックによると、前記駆動装置は、ベースを更に備え、
前記ベースには、前記摺動機構が取り付けられ、
前記揺動ブロックは、突出部を有し、前記ベースは、突起を有し、
前記揺動ブロックの突出部と、前記ベースの突起とが互いに嵌合して、該揺動ブロックを振れ位置に復帰させる。
【００１５】
第２の態様に記載のドアロックによると、前記カムには、カムがロック解除位置になると前記フックを押し出す捻りばねが設けられている。
【００１６】
第２の態様に記載のドアロックによると、前記駆動装置は、自動ロック解除装置を更に備え、
信号の起動によって該駆動装置が前記カムをロック位置からロック解除位置へ移動するようになっている。
【００１７】
第２の態様に記載のドアロックによると、前記自動ロック解除装置は、操作レバーと、アクチュエーターとを具備し、
前記操作レバーは、前記揺動ブロックの前記ローラーを揺動ブロックの内部に押し込むためのものであり、
前記アクチュエーターは、前記操作レバーを駆動するためのものである。
【００１８】
第２の態様に記載のドアロックによると、該ドアロックは、リターンスプリングを更に備え、
前記リターンスプリングは、前記スライダーに取り付けられており、該スライダーをリセットするためのものであり、
前記カムの前記捻りばねの弾性力は、前記スライダーの前記リターンスプリングの弾性力よりも大きくなっている。
【００１９】
第２の態様に記載のドアロックによると、緩衝機構を備え、該緩衝機構は、該ドアロックがロック状態にある場合に、加えられた外力を緩和するためのものである。
【００２０】
第２の態様に記載のドアロックによると、前記緩衝機構は、レバー片と、レバー軸と、レバーばねとを具備し、
前記レバー片には、上部と、中部と、下部とが含まれ、
前記レバー片の中部の背面は、前記レバー軸を収容する凹溝になるように湾曲し、
前記摺動機構は、円盤を有する摺動盤を備え、
前記上部は、前記摺動盤の前記円盤の縁部に近接している。
【発明の効果】
【００２１】
本発明のドアロックは、揺動ブロックによるスライダーの制御によってカムをロックするか、または解放することで、ドアロックのロックおよび解除を制御する。また、揺動ブロックは、回転状態と、回転不可能な状態とになることができ、揺動ブロックが回転すると、外力による押し引き、または電気器具のドアの内側から押すことによって、ドアロックを開けることができる。さらに、別個のアクチュエーターによって揺動ブロックのロックおよび解除を行い、これを回転させて、カムを解放し、ロック解除の目的を果たすことができる。その上、本発明には、アクチュエーターの故障に至るような外力によるスライダーの望ましくない変位を吸収可能な緩衝機構が設けられている。
【図面の簡単な説明】
【００２２】
【図１Ａ】本発明のドアロック１００の正面から示した全体構成模式図であり、分解図の形式でドアロック１００の一部の部材を示している。
【図１Ｂ】本発明のドアロック１００の背面から示した全体構成模式図である。
【図２】図１Ａのドアロック１００の上カバー１１７を取り、アクチュエーター１０３を取り去った構成模式図である。
【図３Ａ】スライダー２０４およびスイッチケース１０５から取り外した図２のベース１１４の構成模式図である。
【図３Ｂ】本発明のピン３０３の構成模式図であり、ピン３０３の更に詳細な構成を示している。
【図４Ａ】スライダー２０４の背面構成模式図である。
【図４Ｂ】本発明の揺動ブロック４０１の背面構成模式図である。
【図４Ｃ】本発明の揺動ブロック４０１の断面図である。
【図４Ｄ】本発明の揺動ブロック４０１の正面構成模式図である。
【図５Ａ】スライダー２０４から取り外した図４Ａの揺動ブロック４０１および操作レバー４３３の構成模式図である。
【図５Ｂ】操作レバー４３３の背面構成模式図である。
【図６】本発明のドアロックの全体構成断面図である。
【図７Ａ−１】ドアロック１００の側面構成断面図である。
【図７Ａ−２】図７Ａ−１の状態におけるピン３０３と揺動ブロック４０１のハート形溝４１１との相対位置の模式図である。
【図７Ｂ−１】ドアロック１００の側面構成断面図であり、本発明のフック１０１のカム２０１への挿入中であるが、ロックされていないときの構成および状態を示す模式図である。
【図７Ｂ−２】図７Ｂ−１の状態におけるピン３０３と揺動ブロック４０１のハート形溝４１１との相対位置の模式図である。
【図７Ｃ−１】ドアロック１００の側面構成断面図であり、本発明のフック１０１がカム２０１に挿入され、その上、ロックされたときの構成および状態を示す模式図である。
【図７Ｃ−２】図７Ｃ−１の状態におけるピン３０３と揺動ブロック４０１のハート形溝４１１との相対位置の模式図である。
【図８Ａ−１】外部の引く力または内部の押す力で解錠する過程を示すためのものである。
【図８Ａ−２】外部の引く力または内部の押す力で解錠する過程を示すためのものである。
【図８Ｂ−１】外部の引く力または内部の押す力で解錠する過程を示すためのものである。
【図８Ｂ−２】外部の引く力または内部の押す力で解錠する過程を示すためのものである。
【図９Ａ】本発明のスライダー２０４の３つの断面図であり、自動解錠の過程においてアクチュエーター１０３が揺動ブロック４０１を回転させてロック解除する過程を示す模式図である。
【図９Ｂ】本発明のスライダー２０４の３つの断面図であり、自動解錠の過程においてアクチュエーター１０３が揺動ブロック４０１を回転させてロック解除する過程を示す模式図である。
【図９Ｃ】本発明のスライダー２０４の３つの断面図であり、自動解錠の過程においてアクチュエーター１０３が揺動ブロック４０１を回転させてロック解除する過程を示す模式図である。
【図１０Ａ】本発明のベース１１４および揺動ブロック４０１の横断面図であり、揺動ブロック４０１が回転後に非振れ位置に復帰した状態を示すための模式図である。
【図１０Ｂ】本発明のベース１１４および揺動ブロック４０１の横断面図であり、揺動ブロック４０１が回転後に非振れ位置に復帰した状態を示すための模式図である。
【図１１】ドアロック１００の横断面図であり、ドアロック１００がロック状態にあるときのスライダー２０４とスイッチケース１０５のロックブロック１１０１との位置関係を示すためものである。
【図１２Ａ】それぞれ、ベース１１４の斜視図およびベース１１４の構成斜視図および図１２Ａに対応する構成分解図であり、図１１に示す隙間Ｈに設けられた緩衝機構を示すためのものである。
【図１２Ｂ】それぞれ、ベース１１４の斜視図およびベース１１４の構成斜視図および図１２Ａに対応する構成分解図であり、図１１に示す隙間Ｈに設けられた緩衝機構を示すためのものである。
【図１３Ａ】ドアロック１００の断面図であり、図１２Ａ、１２Ｂの緩衝機構の動作過程を示すためのものである。
【図１３Ｂ】ドアロック１００の断面図であり、図１２Ａ、１２Ｂの緩衝機構の動作過程を示すためのものである。
【図１３Ｃ】図１３Ａの一部拡大図であり、緩衝機構の動作過程の更に具体的な細部を示すためのものである。
【図１３Ｄ】図１３Ｂの一部拡大図であり、緩衝機構の動作過程の更に具体的な細部を示すためのものである。
【発明を実施するための形態】
【００２３】
以下、本明細書の一部をなす図面を参照しながら本発明の種々の具体的な実施形態を説明する。本発明では、例えば「前」、「後」、「上」、「下」、「左」、「右」、「頭」、「尾」等の方向を示す用語を用いて本発明の種々の例示の構成部分および構成要素を説明するが、ここでこれらの用語を用いるのは、単に説明の便宜のために、図に示された例示の方位に基づいて決定されたものにすぎないと理解すべきである。本発明で開示された実施形態は異なる方向で設けることができるので、方向を示すこれらの用語は、単に説明をしているにすぎず、制限とみなすべきでない。可能な場合には、本発明で用いられる同一または類似の図面の符号は同一の部材を示している。
【００２４】
図１Ａは、本発明のドアロック１００の正面から示した全体構成模式図であり、分解図の形式でドアロック１００の一部の部材を示している。図１Ｂは、本発明のドアロック１００の背面から示した全体構成模式図である。
【００２５】
図１Ａに示すように、ドアロック１００は、ドアロックケース１１０を備え、ドアロックケース１１０の上部には、上カバー１１７が設けられ、ドアロックケースの上カバー１１７における頭部側の上には、フック１０１を収容するためのドアロック孔１１２が設けられている。フック１０１は、ドアロック孔１１２の上方に位置しており、フック１０１がドアロック本体１１０の上のドアロック孔１１２からドアロック１００の内部に挿入されると、ドアロック１００内部のカム（図２のカム２０１参照）に引っ掛かり、上記カムがロックされると、それに伴って電気器具のドアがロックされる。
【００２６】
図１Ａにおいて、ドアロック１００は、作動部材１０３と、スイッチケース１０５とを更に備えている。ドアロックの上カバー１１７における頭部側の下には、底面１１９が設けられ、上カバー１１７と底面１１９との間には、作動部材１０３が収容される収容室１１５が設けられている。アクチュエーター１０３は、リターンスプリング１２１と、コア１２２と、先端の触針１２３とを備えた電磁駆動部材（図６参照）である。アクチュエーター１０３が起動信号を受信すると、その内部のコイル（図６のコイル１２１参照）が通電されて、コイル１２１がコア１２２に対して電磁推進力を生じ、触針１２３を押し出すが、遮断すると、触針１２３が引っ込められる。以下の図、の説明からわかるように、触針１２３の役割は、次の点にある。すなわち、触針１２３が押し出されると、触針１２３がスライダー２０４の操作レバー４３３（図４Ａ参照）を押し動かし、それによって、スライダー２０４の揺動ブロック４０１が回転可能な状態になる。
【００２７】
スイッチケース１０５は、上カバー１１７における尾部側の下に取り付けられている。以下の図、に対する説明からわかるように、スイッチケース１０５の機能は、主にスライダー２０４のロックまたは解除であり、ドアロック１００を制御する主回路のオンまたはオフである。
【００２８】
図１Ｂに示すように、ロック本体の上カバー１１７における頭部側の下には、ベース１１４が設けられ、ロック本体の上カバー１１７における尾部側の下には、スイッチケース１０５が設けられ、ベース１１４と、スイッチケース１０５とは、上カバー１１７の下面においてドアロック本体１１０の幅方向に隣り合って設けられている。
【００２９】
図２は、図１Ａのドアロック１００の上カバー１１７を取り、アクチュエーター１０３を取り去った構成模式図であり、ベース１１４と、スイッチケース１０５と、スライダー２０４における部材と、ベース１１４、スイッチケース１０５およびスライダー２０４の関係とを更に具体的に示すためのものである。
【００３０】
図２において、ベース１１４と、スイッチケース１０５とは、上カバー１１７の下面においてドアロックケース１１０の幅方向に並列に隣り合って設けられている。スライダー２０４は、ドアロックケース１１０の幅方向に沿ってベース１１４とスイッチケース１０５とに渡って上カバー１１７とスイッチケース１０５との間に設けられており、スライダー２０４の頭部でベース１１４の上方の一部を覆うことができるようになっている。スライダー２０４には、ロック孔２１９が設けられており、スイッチケース１０５のロックブロック（図１１のロックブロック１１０１参照）が突き出してロック孔２１９に挿入されると、スライダー２０４がロックされるようになっている。
【００３１】
図２に示すように、ベース１１４には、カム２０１が設けられている。カム２０１は、フック１０１の下方に設けられ、カム２０１の本体は、新月状の湾曲構造となっており、円弧状の開口溝２０２が設けられている。開口溝２０２の上端は、湾曲フック２０５となっている。フック１０１がドアロック孔１１２に挿入されると、カム２０１が回動するように押し動かされ、カム２０１の回動により、湾曲フック２０５がフック１０１の孔１０２に挿入されてフック１０１を引っ掛ける。開口溝２０２の下端２０６と、フック１０１の先端とは、接触するようになっている。フック１０１が挿入されると、フック１０１の先端が開口溝２０２の下端２０６を押さえ付けて、反時計回りに回転するようにカム２０１を押し動かすことができる。
【００３２】
カム２０１は、両側の丸軸２１２、２１４を通じてベース１１４に固定され、丸軸２１２、２１４周りに回転運動可能になっている。丸軸２１２、２１４には、捻りばね２１０が被せて設けられている。捻りばね２１０は、捻りばね２１０．１、２１０．２として両側に設けられており、カム２０１をリセットさせるねじり力を付与するものである。フック１０１がカム２０１から抜けると、捻りばね２１０．１、２１０．２がカム２０１を時計回りに回転させる。カム２０１の尾端（開口溝２０２とは離間する方の遠端）の両側には、カムピン２１１が更に設けられ、カムピン２１１は、スライダー２０４の左端に当接している。また、捻りばね２１０は、ドアを開けるオフセット力を付与する。すなわち、カム２０１およびスライダー２０４がロック解除位置にある場合には、捻りばね２１０がフック１０１をカム２０１から弾き出すようになっている。
【００３３】
図２に示されているのは、スライダー２０４の正面であり、スライダー２０４の尾端には、リターンスプリング２１３が設けられている。カム２０１の捻りばね２１０のねじり力は、スライダー２０４のリターンスプリング２１３の弾性力よりも大きくなっている。リターンスプリング２１３と捻りばね２１０との相互作用により、カム２０１が回転運動をすると、これに伴ってスライダー２０４が往復運動をする。具体的には、リターンスプリング２１３は、カム２０１のカムピン２１１にスライダー２０４を当接させる初期張力を付与し、捻りばね２１０は、カム２０１を反時計回りに回転させる付勢力を付与する。このように捻りばね２１０とリターンスプリング２１３とが互いに協働しており、カム２０１が時計回りおよび反時計回りに回転すると、カム２０１の背面とスライダー２０４との間の接触により、これに応じてスライダー２０４が往復移動するようになっている。
【００３４】
図３Ａは、スライダー２０４およびスイッチケース１０５から取り外した図２のベース１１４の構成模式図であり、ベース１１４に設けられた部材と、これらの部材間の関係とを更に具体的に示すためのものである。
【００３５】
図３Ａからわかるように、ベース１１４には、横溝３１１が設けられ、横溝３１１は、摺動盤３０２を収容するためのものであり、摺動盤３０２は、横溝３１１に沿って横方向に移動することができる。プッシュ−プッシュでドアを開閉する操作の場合、摺動盤３０２の横溝３１１に沿った横方向の移動により、ピン３０３をハート形溝４１１内で横方向に移動させることができる。スライダー２０４の移動に対して緩衝操作する必要がある場合には、摺動盤３０２は、横溝３１１の幅方向に移動することができる（図１３Ｄ参照）。スライダー２０４の移動に対して緩衝操作する必要がない場合には、横溝３１１の幅方向における摺動盤３０２の移動が規制される（図１３Ｃ参照）。摺動盤３０２には、ピン３０３（その内部構成は、具体的には図３Ｂを参照されたい）が設けられている。ピン３０３の下端は、円盤３２１の孔に挿入されているが、ピン３０３の上端は、スライダー２０４の揺動ブロック４０１のハート形溝４１１に挿入されている（図４Ｃ参照）。ベース１１４の１つのコーナー（後部左のコーナー）には、更に突起３０５が設けられ、突起３０５は、揺動ブロック４０１の突出部４２０と嵌合するものであり（図４Ｃ参照）、揺動ブロック４０１を非振れ位置へ復帰させるのに用いられる（図１０Ａ、１０Ｂ参照）。
【００３６】
図３Ｂは、本発明のピン３０３の構成模式図であり、ピン３０３の更に詳細な構成を示している。
【００３７】
図３Ｂに示すように、摺動盤３０２は、円盤３２１と、円盤３２１の一端が延びたソケット３２２とを備えている。ソケット３２２には、底部を閉じた収容室３２５が設けられ、円盤３２１の中心には、挿入孔３２３が設けられている。挿入孔３２３は、収容室３２５に連通しており、挿入孔３２３には、ピン（スチール針）３０３を挿入することができる。ピン３０３の一端（尾部の端）とソケット３２２の内底との間には、ばね３２４が設けられている。スライダー２０４に設けられたハート形溝４１１が摺動盤３０２の上方に位置しているので、摺動盤３０２のピン３０３の下端が揺動ブロック４０１のハート形溝４１１内に挿入されており（図５Ａ参照）、ソケット３２２のばね３２４の弾性力によりスチールのピン３０３を上下移動させて、ピン３０３がハート形溝４１１の底部に常に接触するように、ハート形溝４１１の深さの変化に応じてピン３０３の円盤３２１からの突出高さを調節することができる。ピン３０３とハート形溝４１１との間の相対的な位置関係は、スライダー２０４およびカム２０１の操作状態が反映される。
【００３８】
図４Ａは、スライダー２０４の背面構成模式図である。図４Ｂは、本発明の揺動ブロック４０１の背面構成模式図であり、揺動ブロック４０１の背面の構成を示すためのものである。図４Ｃは、本発明の揺動ブロック４０１の断面図であり、揺動ブロック４０１内部のロック機構を更に明確に示すためのものである。図４Ｄは、本発明の揺動ブロック４０１の正面構成模式図であり、ハート形溝４１１の構成を更に明確に示すためのものである。
【００３９】
図４Ａに示すように、スライダー２０４の内部には、揺動ブロック４０１を収容するための収容室４３１が設けられ、揺動ブロック４０１は、収容室４３１内において回転運動することができる。揺動ブロック４０１の回転ロック機構（ローラー４０２およびロッド４０９参照）を通じて、揺動ブロック４０１は、収容室４３１において、回転可能な状態または回転不可能な状態に設けることができる。本発明では、揺動ブロック４０１が回転可能な状態において、プッシュ−プルによるドア開閉操作方式と、自動でドアを開ける方式とを実施することができる。また、揺動ブロック４０１が回転不可能な状態において、プッシュ−プッシュによるドア開閉操作方式を実施することができる。
【００４０】
揺動ブロック４０１は、揺動ブロック４０１の背面の一端の円形孔４１２に延在する軸（図６の軸６０５参照）を通じて収容室４３１内に回動可能に固定されている。ローラー４０２が収容室４３１の辺縁部の段状突起４１０に係合して、揺動ブロック４０１を係止し、このとき、揺動ブロック４０１は、回転不可能な状態になる。ローラー４０２が収容室４３０内に引っ込むと、ローラー４０２に対する段状突起４１０の係合力がなくなり、このとき、揺動ブロック４０１は、回転可能な状態になり、従って、揺動ブロック４０１は、振れを生じることができるようになる。ローラー４０２がばね４０７の弾性力によって突出するので、ドアを引く力または押す力で揺動ブロック４０１に回転を強いる力がばね４０７の弾性力よりも大きくなると、ローラー４０２が収容室４３０内に押し戻され、このとき、揺動ブロック４０１は、回転することができるようになる。また、外力がローラー４０２に直接加えられてローラー４０２を収容室４３０内に押し戻した場合にも、揺動ブロック４０１は、回転することができるようになる。スライダーの収容室４３１の片側には、操作レバー４３３が設けられており、操作レバー４３３は、揺動した場合にローラー４０２に力が直接加わり、ローラー４０２を収容室４３０内に押し戻すことができ、従って、揺動ブロック４０１は、回転することができるようになる。操作レバー４３３の構成は、具体的には図５Ｂ、５Ｃを参照されたい。
【００４１】
図４Ｂに示すように、揺動ブロック４０１は、全体的に扇状構造であり、扇状構造の端部には、円形孔４１２が設けられ、スライダー２０４の収容室４３１の底部には、軸（図６の軸６０５参照）が設けられており、円形孔４１２が軸６０５に被せられ、このように、孔４１２によって、揺動ブロック４０１は、スライダー２０４の内部の収容室（図４Ａの収容室４３１参照）内に回動可能に固定されている。図４Ｂでは、揺動ブロック４０１の縁部の一部から突出したローラー４０２がわかる。揺動ブロック４０１の内部におけるローラー４０２を制御するための構成は、揺動ブロック４０１の断面図である図４Ｃを参照されたい。
【００４２】
図４Ｃで説明するように、切り開いた揺動ブロック４０１からその内部構成がわかる。図４Ｃに示すように、揺動ブロック４０１には、ばね孔４０５が設けられ、ばね孔４０５における揺動ブロック４０１近傍の縁部には、収容室４３０が１つ設けられ、収容室４３０には、ローラー４０２が収容されており、外力を受けていない場合には、ローラー４０２の一部が収容室４３０の外部に延在している。ばね孔４０５には、ばねガイド４０３と、ばね４０７と、スリーブ４０９とが設けられている。ばねガイド４０３の近端は、ローラー４０２に連結され、ばね４０７と、スリーブ４０９とは、ばねガイド４０３に外嵌され、スリーブ４０９は、ばね４０７とローラー４０２との間に位置し、スリーブ４０９の一端は、ばね４０７に接触し、スリーブ４０９の他端は、ローラー４０２に接触している。
【００４３】
本実施形態では、ローラー４０２は、収容室４３０においてばね孔４０５に沿って往復運動することができる。従って、ローラー４０２は、収容室４３０から突出することで揺動ブロック４０１の縁部の外側に突出することができる。或いは、ローラー４０２は、収容室４３０内に引っ込むことで揺動ブロック４０１の縁部の内側に引っ込むことができる。外力がない状況では、ローラー４０２が後方のばね４０７に当接し、ローラー４０２の一部が揺動ブロック４０１の縁部から突出して、スライダー２０４の収容室辺縁の１つの段状突起（図４Ａの段状突起４１０参照）に係合することにより、揺動ブロック４０１が固定されることになり（図９Ａ参照）、従って、揺動ブロック４０１が回転動作不可能な状態になる。外力が作用している状況では、外力がローラー４０２を押し込むように作用しており、外力がばね４０７の弾性力に抗するように作用すると、ローラー４０２が収容室４３０内に引っ込み、段状突起４１０が揺動ブロック４０１を解放し、従って、揺動ブロック４０１が回転動作可能な状態になる。当業者にとっては、ローラー４０２は、ボールまたは他の構成であってもよい。
【００４４】
図４Ｄに示すように、揺動ブロック４０１は全体的に扇状構造であり、揺動ブロック４０１の正面には、ハート形溝４１１が設けられ、ハート形溝４１１には、２つの停留点、すなわち、ハート形の端部Ａ点と、ハート形の中央部Ｂ点とが設けられている。なお、ハート形の端部Ａ点がロック解除位置に対応しており、ハート形の中央部Ｂ点がロック位置に対応している。また、ハート形溝４１１には、２つの非停留位置、すなわち、Ｃ点（第１の移行位置）と、Ｄ点（第２の移行位置）とが設けられている。ハート形の中央部Ｂ点には凹部４５０があり、ピン３０３がハート形の中央部Ｂ点の凹部４５０にある場合には、ピン３０３の移動が規制されるので、スライダー２０４も移動することができなくなる。つまり、ピン３０３がハート形の中央部Ｂ点の凹部４５０にある場合には、ハート形溝４１１内をピン３０３が摺動可能な状態に復帰しようとすれば、ピン３０３をハート形の中央部Ｂ点の凹部４５０から移動させる必要がある。
【００４５】
ピン３０３がハート形溝４１１内部に当たったまま運動する場合、Ａ点からＢ点への運動を第１の運動経路とし、第１の運動経路は、第１の移行位置Ｃ点を経由する必要があり、Ｃ点で折り返してＢ点に移動する。また、Ｂ点からＡ点への運動を第２の運動経路とし、第２の運動経路は、第２の移行位置Ｄ点を経由する必要があり、Ｄ点で折り返してＡ点に移動する。ピン３０３がハート形溝４１１内でＢ点からＤ点へまたはＤ点からＡ点へ移るには、いずれも横方向に距離があり、また、ピン３０３がハート形溝４１１でＡ点からＣ点へまたはＣ点からＢ点へ移るにも、いずれも横方向に距離がある。従って、揺動ブロック４０１が回転不可能な状態において、ピン３０３がハート形溝４１１内で往復運動した場合、これに応じて、摺動盤３０２が横溝３１１内で横方向に移動することになる。
【００４６】
図４Ｄにおいて、揺動ブロック４０１の片側には、更に突出部４２０が設けられている。揺動ブロック４０１が振れた場合において、スライダー２０４がカム２０１から離れる方向へ移動したとき、突起３０５が突出部４２０に押さえ付けられ、スライダー２０４の作用力によって、突起３０５が揺動ブロック４０１を非振れ位置に戻すようになっている。
【００４７】
図５Ａは、揺動ブロック４０１と操作レバー４３３との位置関係を更に適切に示すように、スライダー２０４から取り外した図４Ａの揺動ブロック４０１および操作レバー４３３の構成模式図である。図５Ｂは、本発明の操作レバー４３３の更に詳細な構成模式図である。
【００４８】
図５Ａに示すように、操作レバー４３３は、内側部５１１と、外側部４１３とを有している。操作レバー４３３の内側部５１１は、揺動ブロック４０１に対向する側に設けられ、すなわち、操作レバー４３３の内側部５１１は、揺動ブロック４０１のローラー４０２を有する側に対向しており、操作レバー４３３の内側部５１１の近端では、揺動ブロック４０１の方向へ耳部５２２が延在し、耳部５２２には、孔５２３が設けられている。孔５２３をスライダー２０４内の軸（図６の軸６０７参照）に装着することにより、操作レバー４３３が軸６０７周りに回動するようになっている。操作レバー４３３が軸６０７周りにローラー４０２に向かって回動すると、操作レバー４３３の内側部５１１がローラー４０２に力を直接加えて、ローラー４０２を収容室４３０に押し戻すことができ、従って、揺動ブロック４０１が回転可能な状態になる。
【００４９】
図５Ｂは、操作レバー４３３の背面構成模式図である。
【００５０】
図５Ｂに示すように、操作レバーの内側部５１１の遠端では、揺動ブロック４０１から離れる方向に繋ぎ部４３２が延在しており、繋ぎ部４３２の遠位に外側部４１３が延在している。操作レバー４３３の外側部４１３には、孔５２３から離れる方向に前端５３２が延在している。繋ぎ部４３２と孔５２３との間では、操作レバーの内側部５１１に接触部５３１が設けられている。
【００５１】
再び図４Ａを参照すると、繋ぎ部４３２が収容室４３１の壁体を乗り越えており、操作レバーの内側部５１１は、収容室４３１内に設けられて、収容室４３１の内壁に密接しており、操作レバーの外側部４１３は、収容室４３１外に設けられて、スライダー２０４の外壁に密接している。外力で前端５３２が押し動かされると、操作レバー４３３が回動し、それによって、接触部５３１がローラー４０２を押圧することができるようになる。
【００５２】
図６は、本発明のドアロックの全体構成断面図であり、アクチュエーター１０３がどのように揺動ブロック４０１のローラー４０２を駆動するかを示すためのものである。
【００５３】
図６から、ドアロック１００のベース１１４に設けられたカム２０１と、カム２０１の両側の捻りばね２１０．１、２１０．２と、スライダー２０４と、スライダー２０４の収容室４３１と、収容室４３１に設けられた揺動ブロック４０１と、アクチュエーター１０３とがわかる。アクチュエーター１０３は、ベース１１４およびスライダー２０４の片側に設けられている。アクチュエーター１０３は、リターンスプリング１２１と、コア１２２と、触針１２３と、コイル１２１とを備えている。触針１２３の先端は、操作レバー４３３の前端５３２に近接し、操作レバー４３３の接触部５３１は、ローラー４０２に近接し、ローラー４０２は、収容室４３１の段状突起４１０に係合している。アクチュエーター１０３が電気信号を受信して起動すると、コイル１２１が通電され、コイル１２１に発生する電磁力により、コア１２２が前へ移動するように駆動され、それによって、触針１２３が前へ突出する。その後、触針１２３が操作レバー４３３の前端５３２を押し動かし、それによって、操作レバー４３３の接触部５３１がローラー４０２を押し込んで、揺動ブロック４０１のばね４０３の弾性力に抗し、それによって、ローラー４０２が収容室４３０内に押し戻され、段状突起４１０から離脱し、従って、揺動ブロック４０１が回転可能な状態になる。
【００５４】
図７Ａ−１は、ドアロック１００の側面構成断面図であり、本発明のフック１０１がまだカム２０１に挿入されていないときの構成および状態を示す模式図である。図７Ａ−２は、図７Ａ−１の状態におけるピン３０３と揺動ブロック４０１のハート形溝４１１との相対位置の模式図である。
【００５５】
図７Ａ−１に示すように、フック１０１は、カム２０１から離れた位置にある。このとき、カム２０１は、解放位置にあり、捻りばね２１０の弾性力の位置エネルギーにより、反時計回りに回転する形勢にあり、スライダー２０４は、カム２０１の背面により右側（カム２０１から離れる方向）へ押されている。スライダー２０４のリターンスプリング２１３は、圧縮状態にあり、スライダー２０４は、カム２０１に向かって運動する形勢にあるが、運動の形勢は、カム２０１に遮られており、スライダー２０４とカム２０１とは、相対的に安定した位置にある。すなわち、ドアロック１００は、ロック解除位置にある。このとき、図７Ａ−２に示すように、ピン３０３は、スライダー２０４のハート形溝４１１に位置するＡ位置にあり、スライダー２０４の揺動ブロック４０１は、ローラー４０２が段状突起４１０で係止されているので、回転不可能な状態にある。
【００５６】
図７Ｂ−１は、ドアロック１００の側面構成断面図であり、本発明のフック１０１のカム２０１への挿入中であるが、ロックされていないときの構成および状態を示す模式図である。図７Ｂ−２は、図７Ｂ−１の状態におけるピン３０３と揺動ブロック４０１のハート形溝４１１との相対位置の模式図である。
【００５７】
図７Ｂ−１に示すように、ドアを閉じる必要がある場合には、ドアの外側からドアに押す力を付与して、フック１０１をカム２０１に向かって運動させると、フック１０１の先端がカム２０１の開口の下端２０６に接触することになり、フック１０１が挿入される際の押す力が捻りばね２１０のねじり力に抗してカム２０１を反時計回りに回転させ、カム２０１が図７Ａ−１の位置から図７Ｂ−１の位置へ移動する。カム２０１の湾曲フック２０５が回転してフック１０１の溝２０２に挿入されると同時に、カム２０１が反時計回りに回転するので、スライダー２０４に突き当っていたカム２０１の力が弱くなり、従って、スライダー２０４のリターンスプリング２１３の弾性力がスライダー２０４を押し動かしてカム２０１に向かって運動させ、スライダー２０４が揺動ブロック４０１をピン３０３に対して運動させ、ピン３０３がハート形溝４１１の下方の第１の経路に沿ってＡ位置からＣ位置へ移動する。
【００５８】
図７Ｃ−１は、ドアロック１００の側面構成断面図であり、本発明のフック１０１がカム２０１に挿入され、その上、ロックされたときの構成および状態を示す模式図である。図７Ｃ−２は、図７Ｃ−１の状態におけるピン３０３と揺動ブロック４０１のハート形溝４１１との相対位置の模式図である。
【００５９】
図７Ｃ−１に示すように、外界の押す力がなくなると、捻りばね２１０のねじり力によりカム２０１が時計回りに或る小角度だけ回転し、カム２０１がスライダー２０４を押し動かして或る距離だけ右へ移動させる。また、図７Ｃ−２に示すように、ハート形溝４１１は、ピン３０３に対してＣ位置で折り返してＢ位置へ移動する。ピン３０３が中心部Ｂ点の凹部４５０にあり、ピン３０３に対向する面に加えて、他の三面も規制されているので、スライダー２０４は、右（カム２０１から離れる方向）へ移動することができない。しかも、カム２０１が回動不可能なように、スライダー２０４がカム２０１の背面を押さえ付けているので、カム２０１の上端の湾曲フック２０５がフック１０１の孔１０２に引っ掛けられて、施錠操作が実施される。
【００６０】
なお、図７Ａ−２、図７Ｂ−２、７Ｃ−２の破線で示すように、このとき、摺動盤３０２がスライダー２０４の長手方向に移動することができないので（図１３Ｃ参照）、ピン３０３は、スライダー２０４の長手方向に移動することができない。すなわち、このとき、ピン３０３は移動しないが、揺動ブロック４０１は移動する。まさに揺動ブロック４０１の移動により、ピン３０３の位置がハート形溝４１１に対して相対的に運動するようになっている。
【００６１】
図７Ｂ−１は、外部の押す力を用いてドアを開ける操作を図示するのにも用いることができる。具体的には、ドアがロックされた後に、電気器具のドアを外部の押す力で正常にロック解除して開けるには、電気器具装置をオフ状態にする必要があり、また、スイッチケース１０５をスライダー２０４に対して解除する必要がある。外力でドアを押してフック１０１を駆動させる場合、カム２０１の動作は、図７Ｂ−１に示す通りである。具体的には、外部の押す力によりフック１０１がカム２０１を押し動かすようにすると、カム２０１が反時計回りの或る小角度だけ回転することになり、それによって、カム２０１が図７Ｃ−１に示す状態から図７Ｂ−１に示す状態に移動する。従って、カム２０１の背面がスライダー２０４から離れる方向に（左に）移動し、これに応じて、スライダー２０４のばね２１３の付勢力の作用によってスライダー２０４がカム２０１の方向に（左に）或る少しの距離だけ移動し、従って、ピン３０３がＢ点からＤ点へ移動する。Ｂ点の凹部４５０がピン３０３から離れる方向へ移動するので、揺動ブロック４０１は回転することができない。押す力がなくなると、カム２１０の捻りばね２１０のねじり力がスライダー２０４のばね２１３の弾性力に抗し（すなわち、カム２１０の捻りばね２１０のねじり力がスライダー２０４のばね２１３の弾性力よりも大きくなり）、それによって、スライダー２０４が右に（カム２０１から離れる方向に）移動し、従って、これに応じて、捻りばね２１０のねじり力の作用によってハート形溝４１１が或る距離だけ右に移動し、ピン３０３がハート形溝４１１においてＤ点の位置で折り返してＡ点へ移動することになり、ドアロックは解除位置になる。ハート形溝４１１においてＢ点からＤ点またはＤ点からＡ点へ移るには、いずれも或る横方向の距離があるので、揺動ブロック４０１が回転不可能な状態では、ハート形溝４１におけるピン３０３の横方向の移動には、摺動盤３０２が横溝３１１においてその分横方向に移動する必要がある。
【００６２】
図８Ａ−１、図８Ａ−２、図８Ｂ−１、８Ｂ−２は、外部の引く力または内部の押す力で解錠する過程を示すためのものである。図８Ａ−１は、スライダー２０４の断面図であり、本発明のフック１０１がカム２０１に挿入され、その上、ピン３０３がハート形溝４１１のＢ点の位置にあるときのスライダー２０４の内部構成の動作状態を示す模式図である。図８Ａ−２は、図８Ａ−１状態におけるピン３０３とハート形溝４１１との相対位置の模式図である。
【００６３】
図８Ａ−１に示すように、ピン３０３がハート形溝４１１のＢ点の位置にある場合には、揺動ブロック４０１のローラー４０２が段状突起４１０により係止され、揺動ブロック４０１は振れていない。図８Ａ−２に示すように、このとき、ピン３０３は、ハート形溝４１１のＢ点にある。
【００６４】
図８Ｂ−１は、スライダー２０４の断面図であり、本発明のフック１０１がカム２０１に挿入され、その上、ドアが外部から引っ張られた（または、ドアが内部から押された）ときのスライダー２０４内部の構成および状態を示す模式図である。図８Ｂ−２は、図８Ｂ−１の状態におけるピン３０３と揺動ブロック４０１のハート形溝４１１との相対位置の模式図である。
【００６５】
なお、ドアに外側から引く力を加えるか、またはドアに内側から押す力を加えると、ドアとドアロック１００との間の作用点における力はいずれもフック１０１に伝えられるが、カム２０１に対する２つの力の作用方向が同じであるので、この２つのドア開放方式は、いずれも図８Ｂ−１、８Ｂ−２を用いて説明することができる。
【００６６】
ドアの外側からドアに引く力を加えると（または、ドアの内側からドアに押す力を加え始めると）、ドアに取り付けられたフック１０１が、引く力（または内部の押す力）の作用によって、カム２０１を引っ張って時計回りに回転させ、カム２０１の時計回りの回転によりスライダー２０４を押し動かして右に移動させる。このとき、揺動ブロック４０１が係止された状態にあるので、スライダー２０４が右に移動することで揺動ブロック４０１が軸６０５周りに時計回りに回転する形勢となり、それによって、ローラー４０２が段状突起４１０に対して反時計回りに回転する反力を生じ、ローラー４０２のばね４０７を押す。ドアの外側からドアに引く力を加えて（または、ドアの内側からドアに押す力を加え始めて）ばね４０７の弾性力に抗すると、ローラー４０２が押されて収容室４３０に入り、従って、揺動ブロック４０１に対する段状突起４１０の障害がなくなり、それによって、揺動ブロック４０１が回転可能な状態になるので、スライダー２０４が揺動ブロック４０１を軸６０５周りに時計回りに回転させ、従って、揺動ブロック４０１が図８Ａ−１に示す位置から図８Ｂ−１に示す位置に回動する。ピン３０３は、Ｂ点の凹部４５０の位置から外れて、ハート形溝４１１のＢ点で折り返してＡ点へ移動する。ピン３０３がＡ点にある場合にはスライダー２０４の移動の障害とならないので、スライダー２０４は、カム２０１を解放する。カム２０１は、捻りばね２１０の作用によって、時計回りに解除位置へ回転する。
【００６７】
図９Ａ、図９Ｂ、９Ｃは、本発明のスライダー２０４の３つの断面図であり、自動解錠の過程においてアクチュエーター１０３が揺動ブロック４０１を回転させてロック解除する過程を示す模式図である。
【００６８】
図９Ａは、揺動ブロック４０１２が段状突起４１０により係止されたときの状態を示す模式図であり、フック１０１およびドアロック１００の各部材の構成は、図７Ｃ−１と同じである。
【００６９】
図９Ｂに示すように、自動ロック解除の場合には、アクチュエーター１０３が起動信号を受信し、アクチュエーター内部のコイル１２１が通電されて電磁力が発生し、電磁力でコア１２２を動かし、触針１２３を押し出し、触針１２３が操作レバー４３３の前端５３２を押し動かし始め、操作レバー４３３が軸６０７周りに回動し、ばね４０７の弾性力に抗するようにローラー４０２に対して押し込む力を徐々に加えていく。
【００７０】
図９Ｃに示すように、ローラー４０２に加わる操作レバー４３３の力がばね４０７の弾性力に抗すると、ローラー４０２が段状突起４１０を乗り越えて、揺動ブロック４０１の係合の規制がなくなる。また、捻りばね２０１のねじり力の作用によって、カム２０１を押し動かして時計回りに回転させ、さらに、カム２０１がスライダー４０２を押し動かして右に運動させるが、ピン３０３が揺動ブロック４０１のハート形溝のＢ点の凹部４５０にあるので、ピン３０３は、スライダー４０２の長手方向に移動することができない。このため、スライダー４０２の移動により、揺動ブロック４０１は軸６０５周りに時計回りに回転せざるを得ず、それによって、ハート形溝４１１に対するピン３０３の位置がＢ点からＡ点へ直接（Ｃ点またはＤ点を経由することなく）移動して、ドアロックがロック解除される。このような方式が電気器具の自動解錠であり、電気器具のドア開放の自動化が図られるので、スマート電気器具の開発傾向に沿うことができる。
【００７１】
図１０Ａ、１０Ｂは、本発明のベース１１４および揺動ブロック４０１の横断面図であり、揺動ブロック４０１が回転して非振れ位置に復帰した状態を示すための模式図である。
【００７２】
図１０Ａに示す部材の位置は、外力によるロック解除または電磁ロック解除の後に揺動ブロック４０１が反時計回りに回転した図８Ｂ−１または図９Ｃに示す状態の模式図に対応している。図１０Ａに示すように、ロック解除動作が完了すると（すなわち、ローラー４０２が揺動ブロック４０１内に後退すると）、揺動ブロック４０１は自由に回動することができるようになってピン３０３の拘束から抜け出すので、スライダー２０４に対するそれまでのピン３０３の支持力がなくなり、カム２０１の軸の捻りばね２１０により、カム２０１がドア開放位置に回転させられることになり、また、カム軸２１１によって、スライダー４０２がベース１１４に対して右またはカム２０１から離れる方向（図のＡ方向）に向かってドア開放状態の位置へ移動する。図１０Ａでは、揺動ブロック４０１のボール４０２は、スライダーの収容室４３１の係合段差部４１０から離れている。しかし、揺動ブロック４０１の突出部４２０は、スライダー２０４の突起３０５に接触または近接している。図１０Ａのカム軸２１１は、カム２０１がスライダー４０２を押し動かす推進装置である。
【００７３】
図１０Ｂに示すように、スライダー４０２がベース１１４に対して右（カム２０１から離れる方向）に移動すると、スライダー４０２とベース１１４との相対運動によりベース１１４の突起３０５が揺動ブロック４０１の突出部４２０を動かすことになり、それによって、揺動ブロック４０１が反時計回りに回転して、揺動ブロック４０１が突起段差部４１０に対向する位置まで戻され、再び揺動ブロック４０１を係止し、ピン３０３がハート形溝４１１のＡ点の位置に戻る。これと略同時に、スライダー２０４と、カム２０１もリセット（すなわち、ドア開放状態の位置への復帰）が完了する。
【００７４】
図１１は、ドアロック１００の横断面図であり、ドアロック１００がロック状態にあるときのスライダー２０４とスイッチケース１０５のロックブロック１１０１との位置関係を示すためのものである。
【００７５】
図１１に示すドアロック１００では、電気器具のドアが正常に閉まると、フック１０１がカム２０１により固定されて、カム２０１の背面がスライダー２０４により押さえ付けられる。図２に示すように、スイッチケース１０５は、スライダー２０４の下部に位置している。従って、ロックブロック１１０１がスイッチケース１０５から上へ突出すると、スライダー２０４のロック孔２１９に挿入され、従って、カム２０１がロックされる。このとき、ローラー４０２が段差部４１０に係止されているので、揺動ブロック４０１は、回転不可能な状態にある。図１１では、スライダー２０４のロック孔２１９の孔壁とロックブロック１１０１との間に隙間Ｈがある。本実施形態では、隙間の距離を０．４５ｍｍとし得る。この隙間Ｈは、ドアロック１００をロック孔２１９に正常に挿入するのに必要なものである。しかしながら、この隙間があるので、外力によりフック１０１が突然外に引っ張られると、カム２０１がスライダー２０４を急激に押し動かして右（カム２０１から離れる方向）に移動させることになり、このような急激な推進は、ピン３０３に衝撃力を加えるおそれがあり、ピン３０３に不具合を発生させ得る。
【００７６】
図１２Ａ、１２Ｂは、それぞれ、ベース１１４の斜視図およびベース１１４の構成斜視図、１２Ａに対応する構成分解図であり、図１１に示す隙間Ｈに設けられた緩衝機構を示すためのものである。
【００７７】
図１２Ａ、１２Ｂに示すように、緩衝機構は、ベース１１４の端部に設けられたレバー片１２０１と、レバー軸１２０２と、一対のレバーばね（１２０３．１、１２０３．２）とを備えている。レバー片１２０１には、上部１２１３と、中部１２１４と、下部１２１５とが含まれている。レバー片１２０１は、ベース１１４の尾部に立設されており、上部が摺動盤３０２の円盤３２１の縁部に近接している。レバー片１２０１の中部１２１４の背面は、凹溝１２０４になるように湾曲しており、凹溝１２０４は、レバー軸１２０２を収容するためのものである。従って、レバーばね（１２０３．１、１２０３．２）の弾性力の作用によって、レバー片１２０１は、レバー片１２０１の上部１２１３が円盤３２１の縁部に近接するか、またはそれを押さえ付けるように、レバー軸１２０３周りに或る特定の角度だけ反転することができ、従って、レバーばね（１２０３．１、１２０３．２）は、円盤３２１にオフセット力を付与することができる。
【００７８】
図１３Ａ、１３Ｂは、ドアロック１００の断面図であり、図１２Ａ、１２Ｂの緩衝機構の動作過程を示すためのものである。図１３Ｃ、１３Ｄは、それぞれ図１３Ａ、１３Ｂの一部拡大図であり、緩衝機構の動作過程の更に具体的な細部を示すためのものである。
【００７９】
図１３Ａ、１３Ｃには、ドアを閉じた後において外側の引く力または内側の押す力が加えられていない場合の各関連部材の位置関係を示している。図１３Ａ、１３Ｃに示すように、底部におけるレバーばね（１２０３．１、１２０３．２）の外側への弾性力のため、レバー片１２０１がレバー軸１２０３周りに反時計回りに回転する形勢にあり、それによって、レバー片１２０１の上部１２１３が円盤３２１の縁部に近接している。円盤３２１の縁部とレバー片１２０１の上部１２１３とには隙間があるので、横溝３２１における摺動盤３０２の摺動に支障がないようになっている。このとき、カム２０１の捻りばね２１０の右向きの付勢力はレバーばね（１２０３．１、１２０３．２）の弾性力に抗するには不十分であるので、摺動盤３０２は、レバー片１２０１の上部１２１３により規制されており、上下に移動することができない。
【００８０】
図１３Ｂ、１３Ｄには、ドアを閉じた後において外力によりフックが突然外に引っ張られた場合の各関連部材の位置関係を示している。図１３Ｄに示すように、カム２０１の捻りばね２１０にはスライダー２０４を右に押し動かす付勢力が生じていること、加えて、ドアを引っ張る引く力により、スライダー２０４が右に移動する。このとき、捻りばね２１０の右への付勢力、加えてドアを引っ張る引く力が、レバーばね（１２０３．１、１２０３．２）の弾性力に抗して、円盤３２１の縁部がレバー片１２０１の上部１２１３を押し、従って、スライダー２０４に伴って摺動盤３０２が隙間Ｈの距離だけ右へ移動（または、略移動）すると、ロックブロック１１０１がスライダー２０４のロック孔２１９の孔壁に接触して、スライダー２０４の移動が止まる。外力によりフック１０１が突然外に引っ張られると、スライダー２０４の右（カム２０１から離れる方向）への移動に伴って、これに応じて、摺動盤３０２は、隙間Ｈの距離だけ退避し、従って、ピン３０３に対する衝撃力がなくなるか、または緩和される。
【００８１】
図に示す緩衝機構は、レバーばね１２０３．１、１２０３．２によりスライダー２０４の移動を吸収するような変位を生じるものであり、弾性力の大きさの程度の制御が容易であり、取付けが容易であり、ドアロック１００の量産に適している。ただし、実際には、図に示す緩衝機構に限定されるものではなく、弾性力を有するワイヤー部材等のスライダー２０４の移動を吸収するのに有益な他の部材も、本発明の緩衝機構に類似した均等の設計に該当する。
【００８２】
図示した具体的な実施形態を参照して本発明を説明したが、理解されるように、本発明により教示される精神および範囲並びに背景から逸脱しない限り、本発明の緩衝機構を備えるドアロックは、多数の変更形態を有することができ、本発明の状態表示装置および検出スライダーは、他の構成の電気器具のドアロックにも適用することができる。当業者が異なる形態に想到して本発明で開示される実施形態のパラメーターを改変したものも全て、本明細書および請求の範囲の精神および範囲に包含される。
【符号の説明】
【００８３】
１００    ドアロック
１０１    フック
１０２    孔
１０３    アクチュエーター
１０５    スイッチケース
１１０    ドアロックケース（本体）
１１２    ドアロック孔
１１４    ベース
１１５    収容室
１１７    上カバー
１１９    底面
１２１    コイル（リターンスプリング）
１２２    コア
１２３    触針
２０１    カム
２０２    開口溝
２０４    スライダー
２０５    湾曲フック
２０６    下端
２１０    カム
２１１    カムピン（カム軸）
２１２    丸軸
２１３    リターンスプリング
２１４    丸軸
２１９    ロック孔
３０２    摺動盤
３０３    ピン
３０５    突起
３１１    横溝
３２１    円盤
３２２    ソケット
３２３    挿入孔
３２５    収容室
４０１    揺動ブロック
４０２    ローラー
４０３    ガイド
４０５    孔
４０９    スリーブ
４１０    段状突起
４１１    ハート形溝
４１２    円形孔
４１３    外側部
４２０    突出部
４３０    収容室
４３１    収容室
４３２    繋ぎ部
４３３    操作レバー
４５０    凹部
５１１    内側部
５２２    耳部
５２３    孔
５３１    接触部
５３２    前端
６０５    軸
１１０１    ロックブロック
１２０１    レバー片
１２０２    レバー軸
１２０４    凹溝
１２１３    上部
１２１４    中部
１２１５    下部
４０１２    揺動ブロック
【図１Ａ】
2019528093.tif 000003
【図１Ｂ】
2019528093.tif 000004
【図２】
2019528093.tif 000005
【図３Ａ】
2019528093.tif 000006
【図３Ｂ】
2019528093.tif 000007
【図４Ａ】
2019528093.tif 000008
【図４Ｂ】
2019528093.tif 000009
【図４Ｃ】
2019528093.tif 000010
【図４Ｄ】
2019528093.tif 000011
【図５Ａ】
2019528093.tif 000012
【図５Ｂ】
2019528093.tif 000013
【図６】
2019528093.tif 000014
【図７Ａ−１】
2019528093.tif 000015
【図７Ａ−２．７Ｂ−２．７Ｃ−２】
2019528093.tif 000016
【図７Ｂ−１】
2019528093.tif 000017
【図７Ｃ−１】
2019528093.tif 000018
【図８Ａ−１】
2019528093.tif 000019
【図８Ａ−２】
2019528093.tif 000020
【図８Ｂ−１】
2019528093.tif 000021
【図８Ｂ−２】
2019528093.tif 000022
【図９Ａ】
2019528093.tif 000023
【図９Ｂ】
2019528093.tif 000024
【図９Ｃ】
2019528093.tif 000025
【図１０Ａ】
2019528093.tif 000026
【図１０Ｂ】
2019528093.tif 000027
【図１１】
2019528093.tif 000028
【図１２Ａ】
2019528093.tif 000029
【図１２Ｂ】
2019528093.tif 000030
【図１３Ａ】
2019528093.tif 000031
【図１３Ｂ】
2019528093.tif 000032
【図１３Ｃ】
2019528093.tif 000033
【図１３Ｄ】
2019528093.tif 000034
【手続補正書】
【提出日】平成29年11月29日(2017.11.29)
【手続補正１】
【補正対象書類名】特許請求の範囲
【補正対象項目名】全文
【補正方法】変更
【補正の内容】
【特許請求の範囲】
【請求項１】
ドアロック（１００）において、
開口溝（２０２）を有するカム（２０１）と、
前記カム（２０１）に当接し、該カム（２０１）の回動に伴って往復運動するスライダー（２０４）と、
前記スライダー（２０４）に取り付けられ、回転可能な状態または回転不可能な状態になることが可能な揺動ブロック（４０１）と、
前記揺動ブロック（４０１）を回転不可能なようにロックするか、或いは、該揺動ブロック（４０１）を回転可能なように解放する揺動ブロックロック機構（４０２、４０３、４０５、４０７）と、
前記揺動ブロックロック機構（４０２、４０３、４０５、４０７）を解除する自動ロック解除装置（１０３、４３１）とを具備することを特徴としたドアロック。
【請求項２】
ドアロック（１００）において、
開口溝（２０２）を有するカム（２０１）と、
前記カム（２０１）に当接可能なスライダー（２０４）と、
前記スライダー（２０４）に取り付けられた揺動ブロック（４０１）とを具備し、
前記揺動ブロック（４０１）は、回転可能な状態または回転不可能な状態になることができることを特徴とするドアロック。
【請求項３】
前記スライダー（２０４）は、前記カム（２０１）の回動に伴って往復運動することができ、
前記揺動ブロック（４０１）は、前記カム（２０１）をロック位置またはロック解除位置に保持可能な機構を有することを特徴とした請求項２に記載のドアロック。
【請求項４】
前記揺動ブロック（４０１）を回転不可能なようにロックするか、或いは、該揺動ブロック（４０１）を回転可能なように解放する揺動ブロックロック機構（４０２、４０３、４０５、４０７）を備えることを特徴とした請求項３に記載のドアロック。
【請求項５】
前記揺動ブロック（４０１）は、ロック位置に対応する第１の位置（Ｂ点）と、ロック解除位置に対応する第２の位置（Ａ点）とを有するハート形溝（４１１）を更に備えることを特徴とした請求項１または４に記載のドアロック。
【請求項６】
前記揺動ブロックロック機構（４０２、４０３、４０５、４０７）は、
ローラー（４０２）と、
ばねガイド（４０３）と、
前記ばねガイド（４０３）に外嵌され、前記ローラー（４０２）に弾性力を付与するばね（４０７）とを具備し、
前記揺動ブロック（４０１）は、ばね孔（４０５）を有し、
前記ばね（４０７）、前記ばねガイド（４０３）および前記ローラー（４０２）は、前記ばね孔（４０５）に取り付けられていることを特徴とした請求項１または４に記載のドアロック。
【請求項７】
前記スライダー（２０４）には、段状突起（４１０）が設けられた収容室（４３１）が設けられ、
前記段状突起（４１０）は、ローラー（４０２）が前記揺動ブロック（４０１）から突出して該段状突起（４１０）に接触すると、該ローラー（４０２）と係合し、それによって、該揺動ブロック（４０１）の回転運動を阻止することを特徴とした請求項１または４に記載のドアロック。
【請求項８】
ピン（３０３）が設けられた摺動機構（３０２）を備え、
ハート形溝（４１１）は、摺動機構（３０２）の上部に位置し、
ピン（３０３）は、前記ハート形溝（４１１）に挿入され、該ハート形溝（４１１）のロック位置（Ｂ点）とロック解除位置（Ａ点）との間で運動することを特徴とした請求項１または６に記載のドアロック。
【請求項９】
前記摺動機構（３０２）が取り付けられたベース（１１４）を更に備え、
前記揺動ブロック（４０１）は、突出部（４２０）を有し、前記ベース（１１４）は、突起（３０５）を有し、
前記揺動ブロック（４０１）の突出部（４２０）と、前記ベース（１１４）の突起（３０５）とが互いに嵌合して、該揺動ブロック（４０１）を振れ位置に復帰させることを特徴とした請求項８に記載のドアロック。
【請求項１０】
前記カム（２０１）には、前記カム（２０１）がロック解除位置になるとフック（１０１）を押し出す捻りばね（２１０）が設けられていることを特徴とした請求項９に記載のドアロック。
【請求項１１】
信号の起動によって前記カム（２０１）をロック位置からロック解除位置へ移動させる自動ロック解除装置（１０３、４３１）を備えることを特徴とした請求項２に記載のドアロック。
【請求項１２】
自動ロック解除装置（１０３、４３１）が、
前記揺動ブロック（４０１）の前記ローラー（４０２）を該揺動ブロック（４０１）の内部に押し込む操作レバー（４３１）と、
前記操作レバー（４３１）を駆動するアクチュエーター（１０３）と具備することを特徴とした請求項６に記載のドアロック。
【請求項１３】
該ドアロックは、前記スライダー（２０４）に取り付けられ、該スライダー（２０４）をリセットするリターンスプリング（２１３）を更に備え、
前記カム（２０１）の捻りばね（２１０）の弾性力は、前記スライダー（２０４）の前記リターンスプリング（２１３）の弾性力よりも大きいことを特徴とした請求項９に記載のドアロック。
【請求項１４】
該ドアロックは、緩衝機構（１２０１、１２０２、１２０３）を更に備え、該緩衝機構（１２０１、１２０２、１２０３）は、該ドアロックがロック状態にある場合に、加えられた外力を緩和することを特徴とした請求項１または９に記載のドアロック。
【請求項１５】
前記緩衝機構（１２０１、１２０２、１２０３）は、レバー片（１２０１）と、レバー軸（１２０３）と、レバーばね（１２０３．１、１２０３．２）とを備え、
前記レバー片（１２０１）には、上部（１２１３）と、中部（１２１４）と、下部（１２１５）とが含まれ、
レバー片（１２０１）の中部（１２１４）の背面は、前記レバー軸（１２０２）を収容する凹溝（１２０４）になるように湾曲し、
摺動機構（３０２）が円盤（３２１）を有する摺動盤（３０２）を備え、
前記上部（１２１３）は、前記摺動盤（３０２）の前記円盤（３２１）の縁部に近接していることを特徴とした請求項１４に記載のドアロック。
【国際調査報告】
2019528093.tif 000035
2019528093.tif 000036
2019528093.tif 000037
2019528093.tif 000038